(57)【要約】【課題】ゴム印と台木を容易にきれいに剥がすことができ、１個の台木を多くのゴム印に使用することができるスタンプ印、およびスタンプ用台木とゴム印を組み合わせて多様に使用することができるスタンプ印セットを提供する。【解決手段】ゴム印１を台木２に両面に粘着層を有する粘着シート３を用いて貼着してなるスタンプ印であって、前記粘着シートのゴム印を貼着してなる面の粘着層５が自己粘着性エラストマーからなるスタンプ印。台木に両面に粘着層を有する粘着シートの一方の粘着層を貼着してなり、前記粘着シートの台木と貼着していない面の粘着層が自己粘着性エラストマーからなる１個または２個以上のスタンプ用台木と、１個または２個以上のゴム印とからなるスタンプ印セット。【選択図】図１
2007168388.tif 000002
【特許請求の範囲】
【請求項１】
ゴム印と台木を両面に粘着層を有する粘着シートを用いて貼着してなるスタンプ印であって、前記粘着シートのゴム印を貼着してなる面の粘着層が自己粘着性エラストマーからなることを特徴とするスタンプ印。
【請求項２】
前記粘着シートが樹脂層と２つの粘着層からなり、それらの組み合わせが接着剤からなる粘着層／樹脂層／自己粘着性エラストマーからなる粘着層、粘着剤からなる粘着層／樹脂層／自己粘着性エラストマーからなる粘着層、または自己粘着性エラストマーからなる粘着層／樹脂層／自己粘着性エラストマーからなる粘着層であることを特徴とする請求項１に記載のスタンプ印。
【請求項３】
前記自己粘着性エラストマーが、自己粘着性ウレタンエラストマーであることを特徴とする請求項１または２に記載のスタンプ印。
【請求項４】
前記台木と粘着シートの粘着力が、ゴム印と粘着シートの粘着力よりも強いことを特徴とする請求項１乃至３のいずれかの項に記載のスタンプ印。
【請求項５】
前記ゴム印と粘着シートは手で貼着および剥離が可能であることを特徴とする請求項１乃至４のいずれかの項に記載のスタンプ印。
【請求項６】
前記自己粘着性エラストマーからなる粘着層は、汚れたときには洗浄して元の粘着力に再現できることを特徴とする請求項１乃至５のいずれかの項に記載のスタンプ印。
【請求項７】
前記ゴム印、粘着シートおよび台木が透明であることを特徴とする請求項１乃至６のいずれかの項に記載のスタンプ印。
【請求項８】
前記透明な台木に捺印の位置を示す表示が設けられていることを特徴とする請求項７に記載のスタンプ印。
【請求項９】
台木に両面に粘着層を有する粘着シートの一方の粘着層を貼着してなるスタンプ用台木であって、前記粘着シートの台木と貼着していない面の粘着層が自己粘着性エラストマーからなることを特徴とするスタンプ用台木。
【請求項１０】
台木に両面に粘着層を有する粘着シートの一方の粘着層を貼着してなり、前記粘着シートの台木と貼着していない面の粘着層が自己粘着性エラストマーからなる１個または２個以上のスタンプ用台木と、１個または２個以上のゴム印とからなることを特徴とするスタンプ印セット。
【発明の詳細な説明】
【技術分野】
【０００１】
本発明は、スタンプに用いるスタンプ印、スタンプ用台木およびスタンプ用台木とゴム印を組み合わせたスタンプ印セットに関する。
【背景技術】
【０００２】
スタンプ印は、ゴム印と手で持つ台木とからなり、スタンプ台のインキをゴム印に付けて捺印する。
スタンプ台はスタンプ印の大きさにより、各種の大きさや形状のもがあり、またスタンプ台がカラフルになり、各種の色のスタンプインキを用いたスタンプ台またはインキが市販されている。
【０００３】
通常のスタンプ印は、木材や樹脂からなる台木に、ゴム印を貼り付けて販売されているが（特許文献１）、大きなスタンプ印は単価が高く、また多くのスタンプ印を収容するには大きな容器が必要となる。
【０００４】
そこで、最近、ゴム印と台木を分けて、ゴム印をゴム板に図柄をプレスしただけの状態で販売し、台木を別売りにする方法が行われている。この方法では、大きいゴム板に多くの図柄が入つているゴム印を安価に入手でき、消費者は自分でゴム板を切ってゴム印を作成し、別売りの台木に貼り付けて使用すればよく、非常に経済的である。
【特許文献１】実用新案登録第３１０４３６９号
【発明の開示】
【発明が解決しようとする課題】
【０００５】
ゴム印と台木を貼り付けるには、通常、粘着剤や接着剤などが用いられている。そして、ゴム印と台木を貼り付けてスタンプ印を作成すると、以後そのまま使用することになる。
【０００６】
一方、１個の台木を多くのゴム印に使用するために、スタンプ印のゴム印と台木を剥して、ゴム印と台木を別々にして、台木を別のゴム印に使用しようとすると、粘着剤や接着剤は剥れにくく、また剥した後がべとべとしているので再使用が困難である。
【０００７】
本発明は、この様な背景技術に鑑みてなされたものであり、ゴム印と台木を容易にきれいに剥がすことができ、剥がした台木を多くのゴム印に使用することができるスタンプ印およびそのスタンプ印に用いるスタンプ用台木を提供するものである。
【０００８】
また、本発明は、１個または２個以上のスタンプ用台木とゴム印をセットで用いることにより、スタンプ用台木とゴム印を組み合わせて多様に使用することができるスタンプ印セットを提供するものである。
【課題を解決するための手段】
【０００９】
すなわち、本発明は、ゴム印と台木を両面に粘着層を有する粘着シートを用いて貼着してなるスタンプ印であって、前記粘着シートのゴム印を貼着してなる面の粘着層が自己粘着性エラストマーからなることを特徴とするスタンプ印である。
【００１０】
前記粘着シートが樹脂層と２つの粘着層からなり、それらの組み合わせが接着剤からなる粘着層／樹脂層／自己粘着性エラストマーからなる粘着層、粘着剤からなる粘着層／樹脂層／自己粘着性エラストマーからなる粘着層、または自己粘着性エラストマーからなる粘着層／樹脂層／自己粘着性エラストマーからなる粘着層であることが好ましい。
【００１１】
前記自己粘着性エラストマーが、自己粘着性ウレタンエラストマーであることが好ましい。
前記台木と粘着シートの粘着層の粘着力が、ゴム印と粘着シートの粘着層の粘着力よりも強いことことが好ましい。
【００１２】
前記ゴム印と粘着シートは手で貼着および剥離が可能であることが好ましい。
前記自己粘着性エラストマーからなる粘着層は、汚れたときには洗浄して元の粘着力に再現できることが好ましい。
【００１３】
前記ゴム印、粘着シートおよび台木が透明であることが好ましい。
前記透明な台木に捺印の位置を示す表示が設けられていることが好ましい。
また、本発明は、台木に両面に粘着層を有する粘着シートの一方の粘着層を貼着してなるスタンプ用台木であって、前記粘着シートの台木と貼着していない面の粘着層が自己粘着性エラストマーからなることを特徴とするスタンプ用台木である。
【００１４】
また、本発明は、台木に両面に粘着層を有する粘着シートの一方の粘着層を貼着してなり、前記粘着シートの台木と貼着していない面の粘着層が自己粘着性エラストマーからなる１個または２個以上のスタンプ用台木と、１個または２個以上のゴム印とからなることを特徴とするスタンプ印セットである。
【発明の効果】
【００１５】
本発明によれば、ゴム印と台木を容易にきれいに剥がすことができ、剥がした台木を多くのゴム印に使用することができるスタンプ印およびそのスタンプ印に用いるスタンプ用台木を提供することができる。
【００１６】
また、本発明は、１個または２個以上のスタンプ用台木とゴム印をセットで用いることにより、スタンプ用台木とゴム印を組み合わせて多様に使用することができるスタンプ印セットを提供することができる。
【発明を実施するための最良の形態】
【００１７】
以下、本発明を詳細に説明する。
本発明のスタンプ印は、ゴム印を台木に両面に粘着層を有する粘着シートを用いて貼着してなるスタンプ印であって、前記粘着シートのゴム印を貼着してなる面の粘着層が自己自己粘着性エラストマーからなることを特徴とする。
【００１８】
図１は、本発明のスタンプ印の一実施態様を示す概略断面図である。図１において、本発明のスタンプ印は、ゴム印１を台木２に両面に粘着層４、５を有する粘着シート３を用いて貼着してなるものである。
【００１９】
台木２は、特に制限することなく通常使用されているものが用いられる。例えば、木、透明または不透明の樹脂、弾性材料、スポンジ類等が挙げられるが、アクリル樹脂等の透明の樹脂が好ましい。
【００２０】
ゴム印１には、文字、記号、図形または模様等が設けられ、特に制限することなく通常使用されているものが用いられる。例えば、透明または不透明の樹脂またはゴム、弾性材料、金属等が挙げられるが、感光性樹脂等の透明の樹脂が好ましい。
【００２１】
粘着シート３は、樹脂層６の両面に粘着層４、５が設けられているシートからなる。
樹脂層６は、通常使用されている樹脂シートが用いられ、例えばＰＥＴ、ポリエステルのシートが挙げられる。
【００２２】
粘着シート３の台木２の面に設けられている粘着層４は、粘着剤または接着剤からなる。この粘着剤または接着剤には、通常使用されているものが用いられ、例えばアクリル系溶剤型粘着剤が挙げられる。また、粘着層４には、自己粘着性エラストマーを用いてもよい。
【００２３】
また、粘着シート３のゴム印１の面に設けらている粘着層５は、自己粘着性エラストマーからなる。自己粘着性とは、エラストマー自身が粘着性をもっていることを示す。自己粘着性エラストマーは、例えば自己粘着性ウレタンゴムが用いられる。自己粘着性エラストマーからなるシートは透明で、粘着面に付着したゴミやホコリ等は水洗により除去でき、乾燥後は粘着力が再現するので、繰り返して使用できる。また、粘着した相手側に粘着物質が移行することがなく、相手を汚したり、傷をつけることがない。自己粘着性エラストマーの物性の一例を示すと、粘着力は２７０ｇｆ／１４ｍｍ（測定方法：ピックアップ式タックメータ）である。
【００２４】
粘着シートの粘着層４／樹脂層６／粘着層５の構成の具体例を示すと、接着剤／樹脂層／自己粘着性エラストマー、粘着剤／樹脂層／自己粘着性エラストマー、自己粘着性エラストマー／樹脂層／自己粘着性エラストマーが挙げられる。これらの粘着シートの市販品として、例えば持田商工株式会社製の商品名ＴＧシート（ＰＥＴ／自己粘着性ウレタンゴム、粘着剤／樹脂層／自己粘着性ウレタンゴム、自己粘着性ウレタンゴム／樹脂層／自己粘着性ウレタンゴムの３種類）が市販されている。これらの粘着シートはいずれも透明である。
【００２５】
台木と粘着シートの粘着層の粘着力が、ゴム印と粘着シートの粘着層の粘着力よりも強いことことが好ましい。粘着シートで貼着されている台木とゴム印は、ゴム印を粘着シートから手で剥離することができる。
【００２６】
従来の粘着剤は汚れてゴミやホコリが付くと、汚れの除去が困難であり粘着性がなくなる欠点があるが、本発明のゴム印と粘着シートを貼着してなる自己粘着性エラストマーは、汚れたときには洗浄して元の粘着力に再現できることができるので、繰り返して使用することができる利点がある。
【００２７】
図２は、本発明のスタンプ用台木の一実施態様を示す概略断面図である。図２において、本発明のスタンプ用台木１０は、台木２を、上記と同様の両面に粘着層を有する粘着シート３の一方の粘着層４に貼着してなるものである。粘着シート３の台木と貼着していない面の粘着層５が自己粘着性エラストマーからなる。８は自己粘着性エラストマーからなる粘着層５を保護する保護フィルムを示す。
【００２８】
図３は、本発明のスタンプ印セットの一実施態様を示す概略断面図である。図３において、本発明のスタンプ印セットは、図２に示すスタンプ用台木１０を１個と、スタンプ用台木１１に貼り付ける３個のゴム印１１、１２、１３とからなセットを示す。図３に示すスタンプ印セットを用いれば、スタンプ用台木１０とゴム印１１を貼着して捺印した後に、スタンプ用台木１０とゴム印１１を剥して、次にスタンプ用台木１０とゴム印１２を貼着して捺印することができる。同様の方法で、スタンプ用台木１０とゴム印１３を貼着して捺印することができる。この様にスタンプ印セットは、１個のスタンプ用台木１０で、２個以上のゴム印を捺印することができる。
【実施例】
【００２９】
以下、実施例を示し本発明をさらに具体的に説明する。
実施例１
図１に示す構成のスタンプ印を作成した。
【００３０】
台木に透明なアクリル樹脂板を用いた。ゴム印に透明な感光性樹脂からなるゴム印を用いた。
粘着剤／ＰＥＴ／自己粘着性ウレタンゴムの構成からなる透明な粘着シート（持田商工株式会社製の商品名ＴＧシート、厚さ１ｍｍ）を用いて、粘着剤の面に台木を、自己粘着性ウレタンゴムの面にゴム印をそれぞれ貼り付けてスタンプ印を作成した。
【００３１】
粘着シートは異粘着であり、異粘着というのは一方の面の一般の粘着剤は粘着力が強く、他方の面の自己粘着性ウレタンエラストマーは粘着力が弱く、剥がれては困る台木側には強い粘着面を、剥がれやすいほうが良いゴム印側は弱い粘着面を使用する。
【００３２】
ゴム印側の自己粘着性ウレタンエラストマーの粘着面は、汚れたら洗うことができ、洗っても粘着力が低下しないので、半永久的に使用できる。ゴム印と台木は容易にきれいに剥がすことができる。
【００３３】
また、図４に示す様に、アクリル樹脂板に予めグリッド印刷を施した透明シートからなるグリッド線シート７を貼り付けておけば、ゴム印を貼り付ける際に見当がつけやすく正しく貼ることができる。また、捺印する際も位置の見当がつけやすい。
【００３４】
この粘着シートは材質の柔らかなものを使用すれば、通常のゴム印に使用されているクッション材のスポンジと同様、クッションとして働き、ゴム印を押す場合に紙面の凹凸などを吸収してきれいな捺印が可能である。
【００３５】
実施例２
図２に示す様に、粘着剤／ＰＥＴ／自己粘着性ウレタンゴムの構成からなる透明な粘着シート（持田商工株式会社製の商品名ＴＧシート）の粘着剤の面に、透明なアクリル樹脂板の台木を貼り付けてスタンプ用台木を作成した。ゴム印は別に作成した。
【００３６】
このスタンプ用台木の大きさを変えて数種類用意し、ゴム印も大きさを変えて数種類用意してセットとして使用すれば、スタンプ用台木とゴム印を組み合わせて自由にスタンプ印を作成することができる。この様にスタンプ用台木とゴム印を別々にすれば、選択の自由度が大きく、収納にも場所をとらず経済的効果も大きい。
【産業上の利用可能性】
【００３７】
本発明のスタンプ印は、ゴム印と台木を容易にきれいに剥がすことができ、１個の台木を多くのゴム印に使用することができ、また１個または２個以上のスタンプ用台木とゴム印をセットで用いることにより、スタンプ用台木とゴム印を組み合わせてスタンプ印セットとして利用することができる。
【図面の簡単な説明】
【００３８】
【図１】本発明のスタンプ印の一実施態様を示す概略断面図である。
【図２】本発明のスタンプ用台木の一実施態様を示す概略断面図である。
【図３】本発明のスタンプ印セットの一実施態様を示す概略断面図である。
【図４】本発明のスタンプ印の他の実施態様を示す概略断面図である。
【符号の説明】
【００３９】
１  ゴム印
２  台木
３  粘着シート
４  粘着層
５  粘着層
６  樹脂層
７  グリッド線シート
８  保護フィルム
１０  スタンプ用台木
１１  ゴム印
１２  ゴム印
１３  ゴム印
【図１】
2007168388.tif 000003
【図２】
2007168388.tif 000004
【図３】
2007168388.tif 000005
【図４】
2007168388.tif 000006